(57)【要約】      （修正有）【課題】屋根のトタン葺きにおいて不要なトタン板を切断する際に、トタン板をわずかに持ち上げるだけでトタン板を切断できる金切り鋏を提供する。さらに、切断中にトタン板が支軸の頭部に当って傷付くことを防止できると共に、刃部を短くできてしかも厚手のトタン板を切断し、重ね切りもすることができる金切り鋏を提供する。【解決手段】把持部２，５の端部の中心と支軸７の中心とを結ぶ直線と、該直線と平行で肩部９の外側縁２１の接線との間の距離である肩部突出度が、静刃４の肩部突出度よりも動刃１の肩部突出度の方が小さく形成され、両刃部は共に動刃１の刃部１６の側に屈曲し、静刃４にはその屈曲部分から後方の峰に動刃がわの切断された金属板の逃げ部８が形成されている。【選択図】  図１
2004329459.tif 000002
【特許請求の範囲】
【請求項１】
共に把持部の先方に肩部が連なりさらに先に刃部が連なる動刃と静刃が支軸により回動可能に結合された金切り鋏であって、把持部の端部の中心と支軸の中心とを結ぶ直線と、該直線と平行な肩部外側縁の接線との間の距離である肩部突出度が、静刃の肩部突出度よりも動刃の肩部突出度の方が小さく形成され、両刃部は共に動刃の刃部がわに屈曲し、静刃にはその屈曲部分から後方の峰に動刃がわの切断された金属板の逃げ部が形成されていることを特徴とする金切り鋏
【発明の詳細な説明】
【０００１】
【発明の属する技術分野】
本発明は、主に板金職人が使用する金切り鋏に関する。
【０００２】
【従来の技術】
従来の動刃と静刃の肩部は同じ突出度で外側に突出している（例えば、特許文献１参照。）。
【０００３】
【特許文献１】
実開平７−１７４１９号公報
【０００４】
【発明が解決しようとする課題】
従来の金切り鋏は上述したような構成であって動刃と静刃の肩部は同じ突出度で突出し、特許文献１の図１又は図５に示すようにかなり大きな突出度である。この理由は、静刃の把持部は動刃の把持部よりも上方にあって、トタン板を真っ直ぐに切断するときに、静刃がわの切断されたトタン板は静刃の肩部の上を滑りながら上方に持ち上げるように曲がる。このように静刃がわのトタン板を上方に誘導しないと切断されたトタン板が親指等に当ってしまうからである。しかし、そのようにトタン板が親指等に当らないようにするためには、鋏を握っている手の上方を切断されたトタン板が通過しなくてはならない。そのためには肩部の突出度を大きくしなければならないのである。このために、金切り鋏の肩部の突出度は大きいのである。
【０００５】
従来の金切り鋏は動刃の肩部の突出度が静刃と同じで双方とも大きい。家屋などの屋根にトタン板を設置する場合に余ったトタン板を切断するときは、動刃の肩部がトタン板の下側に位置するのであるが、肩部の突出度が大きいために屋根に設置したトタン板を肩部の突出度の分だけ大きく持ち上げて作業をしなければならない。ところが、既に屋根に設置されているトタン板は他のトタン板と結合されているからそれを持ち上げるのは大きな力が必要で、屋根のトタン葺きにおいて作業者に最も負担をかける作業であった。そこで、本発明はトタン板をわずかに持ち上げるだけでトタン板を切断できる金切り鋏を提供することを目的とする。
【０００６】
さらに、従来は切断中の動刃がわのトタン板は突き出た支軸の頭部に当たったり擦れ合ったりするので、作業が円滑でない。静刃がわのトタン板は左側にあるから、鋏を握っていない左手でトタン板を容易に上方に曲げることができるから、そのような不都合を回避できる。また、支軸の頭部に当たったり擦れ合ったトタン板はその部分に傷が付くから腐食の原因となっている。特に刃部の基部付近で切断するときに切断されたトタン板がすぐに支軸の頭部に当るので、トタン板を曲げて支軸に当たらないようにすることが困難である。そのために、従来は刃部を長く形成し刃部の先方部分を使用して切断していた。刃部の先方部分で切断すると、切断されたトタン板が支軸の頭部に当る前に手で曲げて避けることができるからである。しかし、刃部の基部を使用しないから切断時に大きなトルクを得ることができず、厚手のトタン板等の切断や重ね切りをすることができなかった。また、屋根葺き用の大きなトタン板を切断するときに必要以上の長い刃部としなければならず刃部を短くした金切り鋏を使用することができなかった。そこで、本発明は切断中にトタン板が傷付くことを防止できると共に、刃部を短くし厚手のトタン板を切断可能とし、重ね切りもできる金切り鋏を提供することを目的とする。
【０００７】
【課題を解決するための手段】
本発明は、共に把持部の先方に肩部が連なりさらに先に刃部が連なる動刃と静刃が支軸により回動可能に結合された金切り鋏であって、把持部の端部の中心と支軸の中心とを結ぶ直線と、該直線と平行な肩部外側縁の接線との間の距離である肩部突出度が、静刃の肩部突出度よりも動刃の肩部突出度の方が小さく形成され、両刃部は共に動刃の刃部がわに屈曲し、静刃にはその屈曲部分から後方の峰に動刃がわの切断された金属板の逃げ部が形成されている。
【０００８】
【発明の効果】
本発明は以上の構成であって、把持部の端部の中心と支軸の中心とを結ぶ直線と、該直線と平行で肩部の外側縁の接線との間の距離である肩部突出度が、静刃の肩部突出度よりも動刃の肩部突出度の方が小さく形成されている。したがって、トタン板等の切断時にトタン板を大きく持ち上げることなく切断できるから作業が楽である。
【０００９】
また、両刃部は共に動刃の刃部がわに屈曲し、静刃にはその屈曲部分から後方の峰に動刃がわの切断された金属板の逃げ部が形成されている。したがって、トタン板等を真っ直ぐに切断するときに、屈曲部よりも先方の刃部は切断方向に沿い、屈曲部よりも後方の刃部及びその刃部に形成された逃げ部は共に切断方向にに対して斜めを向くことになる。これによって、動刃がわの切断されたトタン板等の切り口は逃げ部に斜めに入ることができるから、その切り口は逃げ部から刃部の下側を通って静刃の肩部及び把持部よりも外側に離れるように進んでいく。これによりトタン板などの金属板を非常に円滑に切断できる。
【００１０】
さらに、前述したように動刃がわの切断されたトタン板等は逃げ部から刃部の下側を通って静刃の肩部及び把持部よりも外側に離れるように進んでいく。したがって、その切断されたトタン板等が支軸の頭部に当ることが全くないのでトタン板を傷付けることがなく腐食させない。
【００１１】
【発明の実施の形態】
次に本発明の実施の形態を図面に従って説明する。動刃１は図１に示す２つの刃の上側の刃を言う。つまり、把持部２を親指以外の指先で引っ掛けて刃部３を動かす刃である。静刃４というのは図１に示した下側のはを言う。つまり、把持部５が親指の付け根でしっかり固定される刃である。
【００１２】
動刃の把持部２の端部６の中心と支軸７の中心を結ぶ直線８と、その直線８と平行で肩部９の外側縁の接線１０との間の距離ａである肩部突出度は肩部９の幅とほぼ等しい。肩部突出度は肩部９の幅の０．５〜１．８倍程度であればよい。このことは、肩部９の外側縁がわずかに曲がる弧状であり、あるいは支軸付近から肩部９を通って把持部２の前方部１１に連なる外側縁の曲線がほぼ同じ曲率半径で滑らかに延びる弧状である。
【００１３】
静刃の把持部５の端部１２の中心と支軸７の中心を結ぶ直線１３と、その直線１３と平行で肩部１４の外側縁の接線１５との間の距離ｂである肩部突出度は肩部１４の幅の２倍以上である。好ましくは約２．７倍であるが３倍あるいは３．５倍であってもよい。
【００１４】
図４に示すように動刃の刃部３はこの図の右側に曲がっており、図５に示すように静刃の刃部１６も同じ側に曲がっている。図５及び図２に示すように刃部１６の屈曲部１７から支軸７寄りの峰に逃げ部１８が形成されている。この逃げ部１８は刃部１６の屈曲部１７から支軸７寄りの峰を刃部の後端まで切り欠いて形成したものである。逃げ部の天井面１９は鏡面仕上げとなっていて切断されたトタン板等が滑らかに進むように形成されている。逃げ部の端壁２０は刃部１６の刃裏から刃表面にかけて傾斜面となるように形成されており、切断されたトタン板等が逃げ部１８に円滑に入ることができる。図６は動刃の刃部３と静刃の刃部１６がやや開いた状態であるが、これらの刃部を完全に閉じれば、支軸７付近の動刃の外側縁２１と逃げ部の天井面１９はほぼ同じ平面となる。これに限定されず、やや天井面１９の方が外側縁２１よりも突出していてもよい。これによって、さらに円滑に鋏を進めることができる。
【００１５】
次に本発明の使用方法を図面に従って説明する。図４はトタン板２２を切断するときの上からみた状態を示す。動刃の刃部３の屈曲部２４よりも前方の部分、及び静刃の刃部１６の屈曲部１７よりも前方の部分を用いてトタン板２２を切断線２３に沿って切断する。そうすると、図５に示すように動刃がわの切断されたトタン板２５は逃げ部１８を通って邪魔にならないから円滑に切断できる。図６に示すように動刃がわの切断されたトタン板２５の切り口２６は逃げ部１８を通るから支軸７に当ることがない。また、肩部９の肩部突出度が小さいからトタン板２２を少し持ち上げれば切断作業ができることが図６からも理解できる。従来は静刃の肩部１４がトタン板２２の下に位置するのであるから、その分だけトタン板２２を持ち上げる必要があったことに比して大幅に労力を削減できる。
【図面の簡単な説明】
【図１】本発明の正面図
【図２】本発明の斜視図
【図３】本発明の斜視図
【図４】使用状態を示す上面図
【図５】使用状態を示す下面図
【図６】使用状態を示す側面図
【符号の説明】
１  動刃
２  把持部
３  刃部
４  静刃
５  把持部
６  端部
７  支軸
８  直線
９  肩部
１０  接線
１１  前方部
１２  端部
１３  直線
１４  肩部
１５  接線
１６  刃部
１７  屈曲部
１８  逃げ部
１９  天井面
２０  端壁
２１  外側縁
２２  トタン板
２３  切断線
２４  屈曲部
２５  動刃がわトタン板
２６  切り口
【図１】
2004329459.tif 000003
【図２】
2004329459.tif 000004
【図３】
2004329459.tif 000005
【図４】
2004329459.tif 000006
【図５】
2004329459.tif 000007
【図６】
2004329459.tif 000008